(57)【要約】【課題】  現場での加工が不要で連結し易い水切材を提供することを目的とする。【解決手段】  水切材は、長尺状の金属板を長辺に略平行に折り曲げて形成されるものであり、建物へ釘等の取付手段により取り付けられる垂直片１１と、垂直片１１の下端に、第１折曲部２１を介して接続され、外方斜め下方に延びる傾斜片１２と、傾斜片１２の外方端部に、第２折曲部２２を介して接続され、下方に延びる垂下片１３と、垂下片１３の下端に、第３折曲部２３を介して接続され、内方に延びる底片１４とを備え、第３折曲部２３の左端部には予めスリット４３が形成されている。  スリット４３が形成されているため、短手方向断面コの字形状の部分を撓ませることができ、水切材の端部同士を重ねて連結できる。又、予めスリット４３を形成しておくので、現場で加工する必要がなくなる。【選択図】  図１
2019178603.tif 000002
【特許請求の範囲】
【請求項１】
長尺状の金属板を長辺に略平行に折り曲げて形成される水切材であって、
建物へ取り付けられる垂直片と、
前記垂直片の下端に、第１折曲部を介して接続され、外方斜め下方に延びる傾斜片と、
前記傾斜片の外方端部に、第２折曲部を介して接続され、下方に延びる垂下片と、
前記垂下片の下端に、第３折曲部を介して接続され、内方に延びる底片とを有し、
前記第３折曲部の両端部の少なくとも一方にスリットが形成された、水切材。
【請求項２】
前記第１折曲部及び前記第２折曲部の両端部の少なくとも一方にスリットが形成された、請求項１記載の水切材。
【請求項３】
前記垂下片と前記底片とは鋭角を成すように形成された、請求項１記載の水切材。
【請求項４】
前記底片の内方端部は、第４折曲部を介して上向きに折り曲げられたＬ型片を有し、
前記Ｌ型片は、端部から所定距離内方まで切り欠かれている、請求項１記載の水切材。
【請求項５】
前記垂直片及び前記底片の少なくとも一方に、長辺に略平行に折り返した折返し片が設けられ、
前記折返し片の両端の少なくとも一方に、端部から所定距離内方まで切欠きが設けられた、請求項１記載の水切材。
【請求項６】
前記切欠きに対向する部分であって、前記垂直片又は前記底片において、前記切欠きの水平方向の辺と、前記垂直片又は前記底片の短辺とを含む三角形を少なくとも含む領域が切り欠かれた、請求項５記載の水切材。
【発明の詳細な説明】
【技術分野】
【０００１】
この発明は、長手方向に延びる水切材に関し、特に短手方向断面がコの字形状を有する水切材に関する。
【背景技術】
【０００２】
建物の土台やオーバーハング等に取り付けられる水切材は、建物を取り囲むよう水平方向に複数連結して取り付けられる。通気水切やオーバーハング用の水切材のような、断面にコの字形状を有する形状の水切材の場合、連結するために施工現場で切欠きを設けるなどの加工を施したり、別の連結部材を用いたりして水切材を連結していた。
【発明の概要】
【発明が解決しようとする課題】
【０００３】
水切材等の長尺物の輸送は規定の長さを超えると輸送費用が増大するが、水切材の長さを規定以内にした場合、より多くの水切材を連結することになり、現場での加工工程が増したり、別の連結部材をより多く用いることになるためにコストが増大するという問題があった。
【０００４】
本発明は、上記のような課題を解決するためになされたもので、現場での加工が不要で連結し易い水切材を提供することを目的とする。
【課題を解決するための手段】
【０００５】
上記の目的を達成するために、請求項１記載の発明は、長尺状の金属板を長辺に略平行に折り曲げて形成される水切材であって、建物へ取り付けられる垂直片と、垂直片の下端に、第１折曲部を介して接続され、外方斜め下方に延びる傾斜片と、傾斜片の外方端部に、第２折曲部を介して接続され、下方に延びる垂下片と、垂下片の下端に、第３折曲部を介して接続され、内方に延びる底片とを有し、第３折曲部の両端部の少なくとも一方にスリットが形成されたものである。
【０００６】
このように構成すると、断面コの字形状の部分の外方下部の曲げにスリットが設けられる。
【０００７】
請求項２記載の発明は、請求項１記載の発明の構成において、第１折曲部及び第２折曲部の両端部の少なくとも一方にスリットが形成されたものである。
【０００８】
このように構成すると、第３折曲部の他の折曲部にもスリットが形成される。
【０００９】
請求項３記載の発明は、請求項１記載の発明の構成において、垂下片と底片とは鋭角を成すように形成されたものである。
【００１０】
このように構成すると、鋭角の曲げ部分にスリットが形成される。
【００１１】
請求項４記載の発明は、請求項１記載の発明の構成において、底片の内方端部は、第４折曲部を介して上向きに折り曲げられたＬ型片を有し、Ｌ型片は、端部から所定距離内方まで切り欠かれているものである。
【００１２】
このように構成すると、第４折曲部に沿った切欠きが形成される。
【００１３】
請求項５記載の発明は、請求項１記載の発明の構成において、垂直片及び底片の少なくとも一方に、長辺に略平行に折り返した折返し片が設けられ、折返し片の両端の少なくとも一方に、端部から所定距離内方まで切欠きが設けられたものである。
【００１４】
このように構成すると、折返し片に切欠きが設けられる。
【００１５】
請求項６記載の発明は、請求項５記載の発明の構成において、切欠きに対向する部分であって、垂直片又は底片において、切欠きの水平方向の辺と、垂直片又は底片の短辺とを含む三角形を少なくとも含む領域が切り欠かれたものである。
【００１６】
このように構成すると、折返し片に連続して垂直片又は底片も切り欠かれている。
【発明の効果】
【００１７】
以上説明したように、請求項１記載の発明は、断面コの字形状の部分の外方下部の曲げにスリットが設けられるので、水切材を重ねて連結できる。
【００１８】
請求項２記載の発明は、請求項１記載の発明の効果に加えて、第３折曲部の他の折曲部にもスリットが形成されるので、互い違いに連結できる。
【００１９】
請求項３記載の発明は、請求項１記載の発明の効果に加えて、鋭角の曲げ部分にスリットが形成されるので、重ねて連結するときに差し込みやすい。
【００２０】
請求項４記載の発明は、請求項１記載の発明の効果に加えて、第４折曲部に沿った切欠きが形成されるので、第４折曲部が連続して連結され、見栄え良く連結できる。
【００２１】
請求項５記載の発明は、請求項１記載の発明の効果に加えて、折返し片に切欠きが設けられるので、連結の際に折返し片同士が重なるのを防ぐことができる。
【００２２】
請求項６記載の発明は、請求項５記載の発明の効果に加えて、折返し片に連続して垂直片又は底片も切り欠かれているので、垂直片又は底片の端部が短くなり、連結しやすい。
【図面の簡単な説明】
【００２３】
【図１】この発明の第１の実施の形態による土台水切材の斜視図である。
【図２】図１に示す水切材の後方斜視図である。
【図３】図１に示す水切材の側面図である。
【図４】図１に示す水切材の加工前の状態を示す平面図である。
【図５】図１に示す水切材の連結方法を示す斜視図である。
【図６】この発明の第２の実施の形態による水切材の構成を示す斜視図であって、図１に対応するものである。
【図７】図６に示す水切材の側面図である。
【図８】図６に示す水切材の加工前の平面図であって、図４に対応する。
【図９】図６に示す水切材の連結状態を示す背面斜視図である。
【図１０】この発明の第３の実施の形態による水切材の構成を示す平面図であって、図８に対応するものである。
【発明を実施するための形態】
【００２４】
図１は、この発明の第１の実施の形態による土台水切材の斜視図であり、図２は、図１に示す水切材の後方斜視図、図３は、図１に示す水切材の側面図である。図４は、図１に示す水切材の加工前の状態を示す平面図である。
【００２５】
これらの図を参照して、水切材１は、長尺状の金属板を長辺に略平行に折り曲げて形成されるものであり、建物へ釘等の取付手段により取り付けられる垂直片１１と、垂直片１１の下端に、第１折曲部２１を介して接続され、外方斜め下方に延びる傾斜片１２と、傾斜片１２の外方端部に、第２折曲部２２を介して接続され、下方に延びる垂下片１３と、垂下片１３の下端に、第３折曲部２３を介して接続され、内方に延びる底片１４とを備え、第３折曲部２３の左端部にスリット４３が形成されている。
【００２６】
底片１４の内方端部には、上側に向けてＲ部２７で長辺に略平行に折り返された折返し片５１が形成されている。水切材１の折返し片５１から底片１４にかけて、切欠き３１が形成されている。
【００２７】
図４に示すように切欠き３１は、所定長さに切断した金属板の左下を、垂下片１３の左端部がテーパー状になるよう台形状に切り欠いて形成される。台形の短い方の辺の寸法は、Ｒ部２７を含むように設定される。
【００２８】
スリット４３は、水切材１の長辺に略平行で、切欠き３１と同様に、水切材１の左端から所定距離内方まで形成されている。スリット４３の幅Ｗは、第３折曲部２３のＲ部分を含むように設定され、長さＬは、切欠き３１の長手方向の寸法と同様に設定されている。
【００２９】
底片１４は複数の通気口７１を有する。通気口７１は、矩形状で、水切材１の長手方向に並べて形成されている。又、底片１４は、第３折曲部２３と通気口７１との間に第６折曲部２６を有する。第６折曲部２６は、第３折曲部２３とは逆向きに曲げられている。第３折曲部２３は鋭角な折り曲げ部で、雨水等は壁から離れた第３折曲部２３に集まるため、建物を湿気から保護することができる。
【００３０】
次に、図４を参照して水切材１の成形方法について説明する。長尺状の金属板を所定長さに切断し、切断した材料の、通気口７１、スリット４３及び切欠き３１に相当する領域を抜く。Ｒ部２７で折り返して折返し片５１が、底片１４の上面側に形成されるように折り曲げる。第１折曲部２１、第２折曲部２２、第３折曲部２３及び第６折曲部２６を図１のように曲げて水切材１が成形される。
【００３１】
予め切欠き３１やスリット４３を形成しておくことで、現場での作業を省略することができる。又、手作業での加工に比べて精度のばらつきを減らすことができる。
【００３２】
図５は、図１に示す水切材の連結方法を示す斜視図である。同図を参照して、水切材１ａに水切材１ｂを連結する場合について説明する。
【００３３】
水切材１ｂの、スリット４３ｂが形成されている左側を撓ませ、水切材１ａの内側に入るように水切材１ａの右側から挿入する。
【００３４】
水切材１ａの右側と水切材１ｂの左側とが重なったとき、切欠き３１ｂが形成されているため折返し片５１は重ならず、左右の水切材１ａ、１ｂに隙間を生じさせることなく連結できる。
【００３５】
水切材１ａ、１ｂは、このように連結して建物の壁に取り付けられ、更に、水切材１ｂの右側には別の水切材１が連結される。これを繰り返して複数の水切材１が建物を取り囲むように取り付けられる。
【００３６】
スリット４３を第３折曲部２３に設けたことで、短手方向の断面コの字形状を有する水切材１を撓ませて重ねて連結することができる。
【００３７】
図６は、この発明の第２の実施の形態による水切材の構成を示す斜視図であって、図１に対応するものであり、図７は、図６に示す水切材の側面図であり、図８は、図６に示す水切材の加工前の平面図であって、図４に対応する。
【００３８】
尚、説明に当たっては、基本的には第１の実施の形態によるものと同一であるため、その相違点を中心に説明する。
【００３９】
これらの図を参照して、この実施の形態による水切材２は、オーバーハング部で用いられ、底片１４の内方端部には、折返し片５１は形成されず、第４折曲部２４を介して上向きに折り曲げられ、更に第５折曲部２５を介して外方へ折り曲げられたＬ型片７２が形成されている。Ｌ型片７２の上面は、オーバーハング部に取り付けられた際に、軒天上に接する。Ｌ型片７２には、左端部から所定距離内方まで切欠き３７が形成されている。
【００４０】
底片１４の内方端部は、外方端部よりも上方にくるように設定されており、垂下片１３と底片１４とが成す角度は鋭角に形成されている。
【００４１】
垂直片１１の上部には、外側に向けてＲ部２８で長辺に略平行に折り返された折返し片５２が形成されている。折返し片５２には、左端部から所定距離内方まで切欠き３２が形成されている。図８に示すように切欠き３２は、所定長さに切断した金属板の左上を、垂直片１１の左端部がテーパー状になるよう台形状に切り欠いて形成される。台形の短い方の辺の寸法は、Ｒ部２８を含むように設定される。
【００４２】
図９は、図６に示す水切材の連結方法を示す背面斜視図である。同図を参照して、水切材２ｂは、スリット４３が形成された正面視左側を撓ませ、水切材２ａの内側に入るように水切材２ａの正面視右側から挿入する。
【００４３】
切欠き３２ｂが形成されているため折返し片５２は重ならず、左右の水切材２ａ、２ｂに隙間を生じさせることなく連結できる。
【００４４】
又、切欠き３７が第４折曲部２４ｂから形成されているため、第４折曲部２４ａ、２４ｂが連続し、Ｌ型片７２ａ、７２ｂは隙間なく連結される。これにより、オーバーハング部のように下から見上げる場所で使用する場合に、見栄えが良くなる。
【００４５】
図１０は、この発明の第３の実施の形態による水切材の構成を示す平面図であって、図８に対応するものである。
【００４６】
尚、説明に当たっては、基本的には第２の実施の形態によるものと同一であるため、その相違点を中心に説明する。
【００４７】
同図を参照して、この実施の形態による水切材３は、切欠き３７を設けずに、第４折曲部２４及び第５折曲部２５に左端部から所定距離内方までそれぞれスリット４４、４５が形成されている。
【００４８】
水切材３を複数連結する場合、一方の水切材３はスリット４４、４５によってＬ型片７２が撓み、他方の水切材３に挿入して連結できる。
【００４９】
尚、上記の各実施の形態では、第３折曲部２３の左端部にスリット４３を設けるとしたが、右端部に設けても良い。
【００５０】
又、上記第１の実施の形態のスリット及び切欠きの長手方向の寸法は、水切材１を連結したときに、底片１４の通気口７１が形成されていない部分が通気口７１に重ならないように寸法を設定すると良い。通気路を確保するためには、左右に連結した水切材の通気口７１の位置が一致して使えるのが望ましい。
【００５１】
更に、上記の各実施の形態では、スリットは幅を設けた形状として説明したが、幅の無い、切込み状のスリットでも良い。
【００５２】
更に、上記の各実施の形態では、第３折曲部２３にスリットを設けるとして説明したが、他の折曲部にもスリットを設けるとしても良い。この場合、連結方法は、上記の各実施の形態と同様に一方をもう一方の内側に挿入して重ねるように連結しても良いし、スリットを境に互い違いに連結しても良いし、これらを組み合わせても良い。例えば、スリット４３の他に第１折曲部２１にスリットを設けた場合、右側の水切材は、スリット４３を利用して傾斜片１２、垂下片１３及び底片１４を撓ませながら左側の水切材の内側になるよう挿入し、垂直片１１は外側に出すように連結する。これにより安定して連結できる。
【００５３】
更に、上記の第３の実施の形態では、水切材同士を重ねて連結するとしたが、スリット４４、４５を境に互い違いに連結するとしても良い。このような構成にすると、安定して連結できる。
【００５４】
更に、上記の第１の実施の形態では、垂直片１１上端に折返し片５２は形成されないものとして説明したが、折返し片５２を設けても良い。建築物への取付方法や強度によって、適した方を選択すれば良い。又、上記の各実施の形態の水切材には、折返し片を必要に応じて設ければ良く、建築物への取付方法などによって不要となる場合は設けなくても良い。
【００５５】
更に、上記の各実施の形態では、折返し片に設ける切欠きは台形状としたが、矩形状でも良いし、その他の形状でも良い。連結したときに折返し片がそれぞれ干渉しないように、少なくともＲ部を含めた折返し片の端部から所定距離内方までを切り欠けば良い。又、折返し片を切り欠いた水平方向の辺と、その切欠きが接する垂直片又は底片の短辺とを含む三角形を少なくとも含む領域を切り欠くと、垂直片又は底片の端部付近の短手方向の寸法が小さくなり連結しやすい。尚、水平方向の辺と垂直片又は底片の短辺とは、辺の全体ではなく少なくとも一部を含めば良い。
【００５６】
更に、切欠きを設ける位置は、左右端部のどちらか一方の端でも良いし、切欠き３１は左端、切欠き３２は右端としても良く、その逆に配置しても良い。
【００５７】
更に、上記の第１の実施の形態では、土台水切材としたが、中間水切材としても利用可能である。
【符号の説明】
【００５８】
１…水切材
１１…垂直片
１２…傾斜片
１３…垂下片
１４…底片
２１…第１折曲部
２２…第２折曲部
２３…第３折曲部
３１…切欠き
３２…切欠き
４３…スリット
５１…折返し片
５２…折返し片
尚、各図中同一符号は同一又は相当部分を示す。
【図１】
2019178603.tif 000003
【図２】
2019178603.tif 000004
【図３】
2019178603.tif 000005
【図４】
2019178603.tif 000006
【図５】
2019178603.tif 000007
【図６】
2019178603.tif 000008
【図７】
2019178603.tif 000009
【図８】
2019178603.tif 000010
【図９】
2019178603.tif 000011
【図１０】
2019178603.tif 000012